(57)【要約】【課題】  生産性の低下や製造コストの増大を来たすことなく可動部材の円滑な移動動作を確保する。【解決手段】  樹脂材料によって形成されると共に撮像光学系の光路となる透過孔３２ｄを有し可動部材２６、２７を移動自在に支持するベース板３２ａと、駆動モーター１４の回転に伴って回動され係合ピン３６ｂ、３６ｂを有する回動アーム３６とを設け、可動部材の移動時に該可動部材を案内する案内ピン３４、３４、・・・を設け、可動部材を樹脂材料によって形成すると共に可動部材に回動アームの係合ピンが摺動自在に係合される摺動孔３１ｂ、３１ｂと案内ピンが摺動自在に係合される被案内孔２８ａ、２９ａ、２９ａ、３０ａ、３０ａ、３１ａとを形成し、案内ピンの少なくとも外周面を導電性金属材料によって形成した。【選択図】図６
2006251467.tif 000002
【特許請求の範囲】
【請求項１】
内部に撮像光学系が配置されたレンズ鏡筒とアイリス又はシャッターを構成し撮像光学系の光路を開閉する可動部材を有する移動機構と該移動機構の駆動源となる駆動モーターとを備えた撮像装置であって、
樹脂材料によって形成されると共に撮像光学系の光路となる透過孔を有し上記可動部材を移動自在に支持するベース板と、
上記駆動モーターの回転に伴って回動され係合ピンを有する回動アームとを備え、
可動部材の移動時に該可動部材を案内する案内ピンを設け、
上記可動部材は樹脂材料によって形成されると共に可動部材に回動アームの係合ピンが摺動自在に係合される摺動孔と上記案内ピンが摺動自在に係合される被案内孔とを形成し、
上記案内ピンの少なくとも外周面を導電性金属材料によって形成した
ことを特徴とする撮像装置。
【請求項２】
上記ベース板に一体に案内突部を設け、
該案内突部に少なくとも一部が外嵌され導電性金属材料によって形成された金属スリーブを設け、
案内突部と金属スリーブによって上記案内ピンを構成した
ことを特徴とする請求項１に記載の撮像装置。
【請求項３】
上記金属スリーブを案内突部に外嵌される外嵌部と軸方向における一端部から外方へ張り出され案内突部の軸方向における基端側に位置されるフランジ部とによって構成した
ことを特徴とする請求項２に記載の撮像装置。
【請求項４】
ベース板に取付孔を形成し、
上記案内ピンの全体を導電性金属材料によって形成し、
案内ピンを、可動部材の被案内孔に挿入される挿入軸部と、ベース板の取付孔に挿入されてベース板に取り付けられる被取付軸部と、挿入軸部と被取付軸部との間に位置され外方へ張り出されたフランジ部とによって構成した
ことを特徴とする請求項１に記載の撮像装置。
【請求項５】
上記ベース板に一体に案内突部を設け、
ベース板に支持された可動部材を閉塞すると共に導電性金属材料によって形成されたカバー体を設け、
該カバー体にベース板の案内突部に外嵌される筒部を設け、
案内突部と筒部とによって案内ピンを構成した
ことを特徴とする請求項１に記載の撮像装置。
【請求項６】
上記ベース板に支持された可動部材を閉塞すると共に導電性金属材料によって形成されたカバー体を設け、
該カバー体に案内ピンを設けた
ことを特徴とする請求項１に記載の撮像装置。
【発明の詳細な説明】
【技術分野】
【０００１】
本発明は撮像装置についての技術分野に関する。詳しくは、アイリス又はシャッターを構成する可動部材を支持する案内ピンの少なくとも一部を導電性金属材料によって形成し、可動部材の円滑な移動動作を確保する技術分野に関する。
【背景技術】
【０００２】
ビデオカメラやスチルカメラ等の撮像装置には、フォーカス制御やズーミングのための各種のレンズを光軸方向へ移動させるレンズ移動機構と、光量調節用のアイリスとを備え、アイリスを構成する可動部材（絞り羽根）を撮像光学系の光軸に対して直交する面内において駆動モーターの駆動力によって移動させることにより光学系の光路を開閉し光量調節を行うようにしたものがある（例えば、特許文献１参照）。
【０００３】
このような撮像装置にあっては、例えば、可動部材が光学系の光路となる透過孔を有するベース板に移動自在に支持され、駆動モーターの駆動力を可動部材に伝達する回動アームを設け、該回動アームの一部を駆動モーターのシャフト（モーター軸）に固定し、回動アームの先端部に設けた係合ピンを可動部材に形成した摺動孔に摺動自在に係合し、駆動モーターの回転に伴って回動される回動アームの回動力を可動部材の並進移動力に変換して、ベース板に対して可動部材を移動させるようにしている。
【０００４】
上記のような撮像装置にあっては、駆動モーターの回転時に発生し得るリップル状の電圧変化により可動部材の円滑な移動が妨げられるおそれがあるため、可動部材の移動時におけるベース板との間の摩擦力を低下させる必要がある。
【０００５】
そこで、特許文献１に記載された撮像装置にあっては、樹脂材料によって形成されたベース板（特許文献１においては地板７）と該ベース板に設けられた案内ピン（特許文献１においてはガイドピン７ａ、７ｂ、７ｃ、７ｄ）の表面に滑り性を有する導電性の被膜を施し、可動部材（特許文献１においては遮光羽根２、３）の帯電を防止してベース板への貼り付きを回避すると共に案内ピンを含むベース板との間の摩擦力を小さくし、可動部材のベース板に対する円滑な移動動作を確保するようにしている。
【０００６】
【特許文献１】特開２００２−２８７２０３号公報
【発明の開示】
【発明が解決しようとする課題】
【０００７】
ところが、特許文献１に記載された従来の撮像装置にあっては、案内ピンを含むベース板の表面に滑り性を有する導電性の被膜を施すため、この被膜を塗装によって形成する作業が必要となり、その分、製造工程が複雑化し生産性が低下するという問題がある。
【０００８】
また、このような被膜を施した場合に、被膜の厚みが不均一であると、可動部材の円滑な移動が妨げられるおそれがあるため、被膜の厚みの管理が必要となるが、この管理が製造コストの増大を来たす要因となる。
【０００９】
一方、可動部材のベース板に対する円滑な移動動作を確保するために、案内ピンを含むベース板の全体を導電性金属材料によって形成することが考えられるが、この場合には導電性金属材料が一般に高価であるために、製造コストの高騰を来たすと言う問題が生じてしまう。
【００１０】
そこで、本発明は、上記した問題点を克服し、生産性の低下や製造コストの増大を来たすことなく可動部材の円滑な移動動作を確保することを課題とする。
【課題を解決するための手段】
【００１１】
本発明撮像装置は、上記した課題を解決するために、樹脂材料によって形成されると共に撮像光学系の光路となる透過孔を有し可動部材を移動自在に支持するベース板と、駆動モーターの回転に伴って回動され係合ピンを有する回動アームとを設け、可動部材の移動時に該可動部材を案内する案内ピンを設け、可動部材を樹脂材料によって形成すると共に可動部材に回動アームの係合ピンが摺動自在に係合される摺動孔と案内ピンが摺動自在に係合される被案内孔とを形成し、案内ピンの少なくとも外周面を導電性金属材料によって形成したものである。
【００１２】
従って、本発明撮像装置にあっては、少なくとも外周面が導電性金属材料によって形成された案内ピンに案内されて樹脂材料によって形成された可動部材が移動される。
【発明の効果】
【００１３】
本発明撮像装置は、内部に撮像光学系が配置されたレンズ鏡筒とアイリス又はシャッターを構成し撮像光学系の光路を開閉する可動部材を有する移動機構と該移動機構の駆動源となる駆動モーターとを備えた撮像装置であって、樹脂材料によって形成されると共に撮像光学系の光路となる透過孔を有し上記可動部材を移動自在に支持するベース板と、上記駆動モーターの回転に伴って回動され係合ピンを有する回動アームとを備え、可動部材の移動時に該可動部材を案内する案内ピンを設け、上記可動部材は樹脂材料によって形成されると共に可動部材に回動アームの係合ピンが摺動自在に係合される摺動孔と上記案内ピンが摺動自在に係合される被案内孔とを形成し、上記案内ピンの少なくとも外周面を導電性金属材料によって形成したことを特徴とする。
【００１４】
従って、可動部材の帯電を防止することができると共に生産性の低下や製造コストの増大を来たすことなく可動部材の円滑な移動動作を確保することができる。
【００１５】
請求項２に記載した発明にあっては、上記ベース板に一体に案内突部を設け、該案内突部に少なくとも一部が外嵌され導電性金属材料によって形成された金属スリーブを設け、案内突部と金属スリーブによって上記案内ピンを構成したので、案内ピンの構成が簡単であり、製造コストの高騰を来たすことなく可動部材の動作の円滑化を図ることができる。
【００１６】
請求項３に記載した発明にあっては、上記金属スリーブを案内突部に外嵌される外嵌部と軸方向における一端部から外方へ張り出され案内突部の軸方向における基端側に位置されるフランジ部とによって構成したので、可動部材が移動時に樹脂材料から成るベース板に接触せずフランジ部に接するため、可動部材の動作の円滑化を図ることができる。
【００１７】
請求項４に記載した発明にあっては、ベース板に取付孔を形成し、上記案内ピンの全体を導電性金属材料によって形成し、案内ピンを、可動部材の被案内孔に挿入される挿入軸部と、ベース板の取付孔に挿入されてベース板に取り付けられる被取付軸部と、挿入軸部と被取付軸部との間に位置され外方へ張り出されたフランジ部とによって構成したので、可動部材が移動時に樹脂材料から成るベース板に接触せずフランジ部に接するため、可動部材の動作の円滑化を図ることができる。
【００１８】
請求項５に記載した発明にあっては、上記ベース板に一体に案内突部を設け、ベース板に支持された可動部材を閉塞すると共に導電性金属材料によって形成されたカバー体を設け、該カバー体にベース板の案内突部に外嵌される筒部を設け、案内突部と筒部とによって案内ピンを構成したので、案内ピンの一部がカバー体に設けられている分、部品点数の削減を図ることができる。
【００１９】
請求項６に記載した発明にあっては、上記ベース板に支持された可動部材を閉塞すると共に導電性金属材料によって形成されたカバー体を設け、該カバー体に案内ピンを設けたので、案内ピンがカバー体に設けられている分、部品点数の削減を図ることができる。
【発明を実施するための最良の形態】
【００２０】
以下に、本発明撮像装置を実施するための最良の形態を添付図面に従って説明する。以下に示す最良の形態は、本発明撮像装置をビデオカメラに適用したものである。尚、本発明の適用範囲はビデオカメラに限られることはなく、本発明は、スチルカメラの他、動画撮影又は静止画撮影の機能を有する各種の撮像装置に適用することができる。
【００２１】
先ず、撮像装置（ビデオカメラ）の基本構成を説明する（図１参照）。
【００２２】
撮像装置１は、外筐として設けられたレンズ鏡筒２に所要の各部が配置されて成り、レンズ鏡筒２には、レンズ又はレンズ群３（図には単レンズとして簡略化して示す。）と、固体撮像素子等の撮像手段４と、アイリス若しくはシャッター又はこれらの双方の機能を兼用する移動機構５とが設けられている。
【００２３】
移動機構５を構成する一対の可動部材６、６は駆動モーター７の駆動力によって移動され、可動部材６、６が移動されることにより光学系の光路が開閉される。駆動モーター７としては、例えば、ローターがステーターの内側に配置された所謂インナーローター型のモーターが用いられ、駆動モーター７の駆動力が可動部材６、６に伝達されて該可動部材６、６が移動される。
【００２４】
被写体からレンズ又はレンズ群３を通った光は、一対の可動部材６、６として設けられた絞り羽根やシャッター部材によって形成される開口を通して撮像手段４に入射される。尚、光量調節時には、可動部材６、６が光軸ＯＬに直交する面内で並進移動されるが、本発明の適用においては、可動部材の数や形状等の如何は問わず、１つ又は複数の可動部材を用いた各種形態での実施が可能である。
【００２５】
駆動モーター７としては、発生トルクを十分に確保すること及びシャッタースピードの高速化への対応等を考慮した場合に、ボイスコイル型を用いることが好ましいが、必要に応じてリニアモーター等を用いることも可能である。
【００２６】
次に、撮像装置の具体的な構成例について説明する（図２乃至図６参照）。
【００２７】
撮像装置８のレンズ鏡筒９には、図２に示すように、被写体側から順に、対物レンズ１０、変倍レンズ１１、レンズ１２、移動機構１３、駆動モーター１４、フォーカスレンズ１５及び固体撮像素子１６が配置されている。移動機構１３はアイリス若しくはシャッター又はこれらの双方の機能を有しているが、以下には移動機構１３がアイリスとシャッターの双方の機能を有している場合について説明する。
【００２８】
レンズ鏡筒９の内部には、移動機構１３を挟んで光軸ＯＬ方向における互いに反対側の位置に、それぞれ光軸ＯＬに対して平行なガイドバー１７、１７とガイドバー１８、１８が配置されている。
【００２９】
変倍レンズ１１はホルダー１９に保持されており、該ホルダー１９がガイドバー１７、１７に摺動自在に支持されている。ホルダー１９に保持された変倍レンズ１１は、変倍レンズ用駆動部２０の駆動力がホルダー１９に伝達されることにより光軸ＯＬに沿う方向へ移動される。
【００３０】
フォーカスレンズ１５はホルダー２１に保持されており、該ホルダー２１がガイドバー１８、１８に摺動自在に支持されている。ホルダー２１に保持されたフォーカスレンズ１５は、フォーカスレンズ用駆動部２２の駆動力がホルダー２１に伝達されることにより光軸ＯＬに沿う方向へ移動される。
【００３１】
固体撮像素子１６によって得られる画像出力は画像処理部２３に送出されて所定の処理が行われる。画像処理部２３は、制御等に必要な情報を演算処理部２４に送出したり、撮影画像をビユーファインダーやモニター等に送って表示させ、或いは、ユーザーの操作指示に従って画像情報等を記録媒体に記録させる。マイクロコンピュータ等を有する演算処理部２４は、制御部２５に制御指令信号を送出し、該制御部２５から駆動モーター１４、変倍レンズ用駆動部２０及びフォーカスレンズ用駆動部２２等に制御信号が入力されることによって各部が制御される。
【００３２】
移動機構１３は、図３に示すように、可動部材２６、２７として機能する一対の絞り羽根を有しており、可動部材２６、２７を移動させることにより、入射光量の調節機能及びシャッター機能を兼用している。移動機構１３はレンズ鏡筒９の外周面から突出されることなく、レンズ鏡筒９の内部に組み込まれているため、他の部品との干渉の問題に煩わされることがなく、小型化やコンパクト化に好適である。
【００３３】
可動部材２６、２７は樹脂材料の表面に、例えば、カーボンコーティングが施されることにより形成されている。
【００３４】
可動部材２６は主部２８と該主部２８の左右両端部からそれぞれ下方へ突出された突部２９、２９とが一体に形成されて成る。可動部材２６には下方に開口された開口用切欠２６ａが形成されている。
【００３５】
主部２８には、一方の側縁に上下に長い被案内孔２８ａが形成され、上端部に左右に長い摺動孔２８ｂが形成されている。
【００３６】
突部２９、２９にはそれぞれ上下に長い被案内孔２９ａ、２９ａが形成されている。
【００３７】
可動部材２７は主部３０と該主部３０の一方の側縁部から上方へ突出された突部３１とが一体に形成されて成る。可動部材２７には上方に開口された開口用切欠２７ａが形成されている。主部３０には、左右両側縁にそれぞれ上下に長い被案内孔３０ａ、３０ａが形成されている。
【００３８】
突部３１には上下に長い被案内孔３１ａが形成されている。突部３１の上端部には左右に長い摺動孔３１ｂが形成されている。
【００３９】
可動部材２６、２７はそれぞれベース体３２に上下方向へ移動自在に支持される（図４及び図５参照）。
【００４０】
ベース体３２は樹脂材料、例えば、ポリブチレンテレフタレート樹脂やポリカーボネート樹脂等によって形成され、可動部材２６、２７を移動自在に支持する役割を果たす。
【００４１】
ベース体３２は縦長の略矩形状に形成され、ベース板３２ａと該ベース板３２ａの外周縁に設けられ前方へ突出された補強リブ３２ｂと前方へ突出された案内突部３２ｃ、３２ｃ、・・・が、例えば、一体に形成され、該案内突部３２ｃ、３２ｃ、・・・は上下左右に離隔して位置されている。
【００４２】
ベース体３２の略中央部には撮像光学系の光路となる透過孔３２ｄが形成され（図４参照）、光学系の光軸ＯＬが透過孔３２ｄの中心を通る位置に設定されている。
【００４３】
ベース体３２には円弧状を為す挿通孔３２ｅ、３２ｅが形成されている。
【００４４】
ベース体３２の案内突部３２ｃ、３２ｃ、・・・には導電性金属材料、例えば、アルミニウム、ＳＵＳ（ステンレス鋼）、ＳＰＣＣ（鉄板）、ＳＥＣＣ（めっき鋼板）等によって円筒状に形成された金属スリーブ３３、３３、・・・がそれぞれ圧入等によって外嵌状に取り付けられている（図６参照）。金属スリーブ３３、３３、・・・と案内突部３２ｃ、３２ｃ、・・・とによって、それぞれ可動部材２６、２７をその移動時に上下方向へ案内する案内ピン３４、３４、・・・が構成される。
【００４５】
ベース体３２の３つの案内ピン３４、３４、３４は、それぞれ可動部材２６の被案内孔２８ａ、２９ａ、２９ａに挿入されて摺動自在に係合される。また、ベース体３２の３つの案内ピン３４、３４、３４は、それぞれ可動部材２７の被案内孔３０ａ、３０ａ、３１ａに挿入されて摺動自在に係合される。即ち、２つの案内ピン３４、３４は可動部材２６の被案内孔２９ａ、２９ａと可動部材２７の被案内孔３０ａ、３０ａとに係合され、別の案内ピン３４は可動部材２６の被案内孔２８ａのみに係合され、また別の案内ピン３４は可動部材２７の被案内孔３１ａのみに係合される。
【００４６】
ベース体３２に可動部材２６、２７が支持された状態において、可動部材２６、２７を閉塞するカバー体３５がベース体３２に取り付けられる（図４参照）。カバー体３５は金属スリーブ３３、３３、・・・と同様の導電性金属材料によって形成され、カバー体３５の中央部には大きな開口部３５ａが形成されている。
【００４７】
カバー体３５はベース体３２に接着、ネジ止め等の適宜の方法によって取り付けられる。カバー体３５がベース体３２に取り付けられた状態において、カバー体３５の開口部３５ａの中心とベース体３２の透過孔３２ｄの中心とが光軸ＯＬ方向において一致される。
【００４８】
ベース体３２の後方には駆動モーター１４が配置される（図４及び図５参照）。駆動モーター１４はモーター軸１４ａが前後に延びる向きで配置されている。駆動モーター１４のモーター軸１４ａには回動アーム３６が固定されている。
【００４９】
回動アーム３６はアーム部３６ａと該アーム部３６ａの両端部に設けられた係合ピン３６ｂ、３６ｂとから成る。アーム部３６ａは、長手方向における中央部がモーター軸１４ａに固定され、該モーター軸１４ａの軸方向と直交する方向へ延びるように設けられている。係合ピン３６ｂ、３６ｂはアーム部３６ａから前方へ突出するように設けられている。
【００５０】
駆動モーター１４がベース体３２の後側に配置された状態においては、回動アーム３６の係合ピン３６ｂ、３６ｂがそれぞれベース体３２の挿通孔３２ｅ、３２ｅに挿通されて可動部材２６、２７の摺動孔２８ｂ、３１ｂにそれぞれ摺動自在に係合される。
【００５１】
以下に、駆動モーター１４の回転に伴う可動部材２６、２７の動作について説明する（図７及び図８参照）。
【００５２】
回動アーム３６の係合ピン３６ｂ、３６ｂがそれぞれ可動部材２６、２７の摺動孔２８ｂ、３１ｂに係合されることにより、駆動モーター１４の回転に伴って回動アーム３６が回動されると、可動部材２６、２７が案内ピン３４、３４、・・・に案内されて互いに離接する方向（上下方向）へ並進移動される。
【００５３】
このとき駆動モーター１４が一方の方向へ回転されると、図８に示すように、可動部材２６、２７が互いに離れる方向へ移動され、可動部材２６、２７の開口用切欠２６ａ、２７ａによって形成される開口３７の面積が大きくなり透過孔３２ｄが開放されていくことにより入射光量が増加する。逆に、回動アーム３６が、他方の方向へ回転されると、図７に示すように、可動部材２６、２７が互いに近づく方向へ移動され、可動部材２６、２７の開口用切欠２６ａ、２７ａによって形成される開口３７の面積が小さくなり透過孔３２ｄが閉塞されていくことにより入射光量が減少する。
【００５４】
従って、ベース体３２の透過孔３２ｄを透過する光については、可動部材２６、２７による開口３７の大きさによって光量調節が行われる。
【００５５】
可動部材２６、２７の移動時には、該可動部材２６、２７が案内ピン３４、３４、・・・の外周面と摺接されるが、該案内ピン３４、３４、・・・が金属材料によって形成されているため、滑り性が良好であり、可動部材２６、２７が案内ピン３４、３４、・・・に対して円滑に摺動される。
【００５６】
以上に記載した通り、撮像装置８にあっては、案内ピン３４、３４、・・・の少なくとも外周面を導電性金属材料によって形成したので、可動部材２６、２７の帯電を防止することができると共に生産性の低下や製造コストの増大を来たすことなく可動部材２６、２７の円滑な移動動作を確保することができる。
【００５７】
また、可動部材２６、２７の移動時には、該可動部材２６、２７がベース体３２の反対側に位置されたカバー体３５と接触することもあるが、この場合にも、カバー体３５が導電性金属材料によって形成されているので、可動部材２６、２７の帯電の防止及び動作の円滑化を図ることができる。
【００５８】
さらに、案内ピン３４、３４、・・・をベース板３２ａに一体に設けた案内突部３２ｃ、３２ｃ、・・・と該案内突部３２ｃ、３２ｃ、・・・に外嵌される金属スリーブ３３、３３、・・・とによって構成しているため、案内ピン３４、３４、・・・の構成が簡単であり、製造コストの高騰を来たすことなく可動部材２６、２７の動作の円滑化を図ることができる。
【００５９】
尚、撮像装置８にあっては、回動アーム３６の係合ピン３６ｂ、３６ｂを導電性金属材料によって形成することも可能である。また、樹脂材料によって形成された係合ピン３６ｂ、３６ｂに、導電性金属材料によって形成されたスリーブを外嵌状に取り付けて、該スリーブを可動部材２６、２７の摺動孔２８ｂ、３１ｂに摺動自在に係合するようにしてもよい。
【００６０】
このように係合ピン３６ｂ、３６ｂを導電性金属材料によって形成し、又は、導電性金属材料によって形成されたスリーブを係合ピン３６ｂ、３６ｂに取り付けることにより、可動部材２６、２７の移動時に摺動孔２８ｂ、３１ｂが導電性金属材料と摺接され、可動部材２６、２７の一層の帯電の防止及び動作の円滑化を図ることができる。
【００６１】
以下に、案内ピンの変形例について説明する（図９乃至図１２参照）。
【００６２】
尚、以下に示す説明においては、撮像装置８における案内ピン以外の他の構成要素は上記した例と同様であるため、案内ピン以外の構成要素については、上記と同様の部分に付した符号と同じ符号を付して説明は省略する。
【００６３】
第１の変形例に係る案内ピン３４Ａは、図９に示すように、ベース体３２に設けられた案内突部３２ｃと該案内突部３２ｃに外嵌状に取り付けられた導電性金属材料によって形成された金属スリーブ３８とによって構成されている。
【００６４】
金属スリーブ３８は案内突部３２ｃに外嵌される外嵌部３８ａと案内突部３２ｃの軸方向における基端側に位置され外方へ張り出されたフランジ部３８ｂとが一体に形成されて成る。金属スリーブ３８が案内突部３２ｃに取り付けられた状態においては、フランジ部３８ｂがベース板３２ａに接した状態で位置される。
【００６５】
案内ピン３４Ａにはフランジ部３８ｂが設けられているため、可動部材２６、２７が移動時に樹脂材料から成るベース体３２のベース板３２ａに接触せず金属スリーブ３８のフランジ部３８ｂに接するため、可動部材２６、２７の動作の円滑化を図ることができる。
【００６６】
第２の変形例に係る案内ピン３４Ｂは、図１０に示すように、ベース体３２のベース板３２ａに形成された取付孔３２ｆに挿入されて取り付けられる。
【００６７】
案内ピン３４Ｂは導電性金属材料によって形成され、可動部材２６、２７の被案内孔２８ａ、２９ａ、２９ａ、３０ａ、３０ａ、３１ａに挿入される挿入軸部３９と、ベース板３２ａの取付孔３２ｆに挿入されて取り付けられる被取付軸部４０と、挿入軸部３９と被取付軸部４０との間に位置され外方へ張り出されたフランジ部４１とが一体に形成されて成る。
【００６８】
案内ピン３４Ｂは被取付軸部４０が取付孔３２ｆに、例えば、圧入によって取り付けられ、フランジ部４１がベース板３２ａに接した状態で位置される。
【００６９】
案内ピン３４Ｂにはフランジ部４１が設けられているため、可動部材２６、２７が移動時に樹脂材料から成るベース体３２のベース板３２ａに接触せずフランジ部４１に接するため、可動部材２６、２７の動作の円滑化を図ることができる。
【００７０】
第３の変形例に係る案内ピン３４Ｃは、図１１に示すように、ベース体３２に設けられた案内突部３２ｃと該案内突部３２ｃに外嵌状に取り付けられた導電性金属材料によって形成された筒部４２とによって構成されている。
【００７１】
筒部４２は円筒状を為しカバー体３５に一体に設けられている。
【００７２】
案内ピン３４Ｃの筒部４２はカバー体３５に一体に設けられているため、その分、部品点数の削減を図ることができる。
【００７３】
また、案内ピン３４Ｃにあっては、カバー体３５をベース体３２に取り付ける際に同時に案内突部３２ｃに外嵌されて構成されるため、撮像装置８の組立作業の簡素化を図ることができる。
【００７４】
第４の変形例に係る案内ピン３４Ｄは、図１２に示すように、カバー体３５に一体に形成されている。
【００７５】
案内ピン３４Ｄは、例えば、軸方向における一方が閉塞された円筒状に形成され、先端部が取付孔３２ｆに、例えば、圧入によって取り付けられる。
【００７６】
案内ピン３４Ｄはカバー体３５に一体に形成されているため、その分、部品点数の削減を図ることができる。
【００７７】
また、案内ピン３４Ｄにあっては、カバー体３５をベース体３２に取り付ける際に取付孔３２ｆに挿入されて構成されるため、撮像装置８の組立作業の簡素化を図ることができる。
【００７８】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【００７９】
【図１】図２乃至図１２と共に本発明撮像装置の最良の形態を示すものであり、本図は、撮像装置の基本構成を示す概念図である。
【図２】撮像装置の構成例を示す断面図である。
【図３】可動部材の拡大正面図である。
【図４】移動機構の分解斜視図である。
【図５】カバー体を取り外した状態で示す移動機構の斜視図である。
【図６】要部の拡大断面図である。
【図７】図８と共に可動部材の動作を示すものであり、本図は透過孔が開放された状態を示す拡大正面図である。
【図８】透過孔が閉塞された状態を示す拡大正面図である。
【図９】案内ピンの第１の変形例を示す拡大断面図である。
【図１０】案内ピンの第２の変形例を示す拡大断面図である。
【図１１】案内ピンの第３の変形例を示す拡大断面図である。
【図１２】案内ピンの第４の変形例を示す拡大断面図である。
【符号の説明】
【００８０】
１…撮像装置、２…レンズ鏡筒、５…移動機構、６…可動部材、７…駆動モーター、８…撮像装置、９…レンズ鏡筒、１３…移動機構、１４…駆動モーター、２６…可動部材、２７…可動部材、２８ａ…被案内孔、２８ｂ…摺動孔、２９ａ…被案内孔、３０ａ…被案内孔、３１ａ…被案内孔、３１ｂ…摺動孔、３２ａ…ベース板、３２ｃ…案内突部、３２ｄ…透過孔、３３…金属スリーブ、３４…案内ピン、３５…カバー体、３６…回動アーム、３６ｂ…係合ピン、３４Ａ…案内ピン、３８…金属スリーブ、３８ａ…外嵌部、３８ｂ…フランジ部、３４Ｂ…案内ピン、３２ｆ…取付孔、３９…挿入軸部、４０…被取付軸部、４１…フランジ部、３４Ｃ…案内ピン、４２…筒部、３４Ｄ…案内ピン
【図１】
2006251467.tif 000003
【図２】
2006251467.tif 000004
【図３】
2006251467.tif 000005
【図４】
2006251467.tif 000006
【図５】
2006251467.tif 000007
【図６】
2006251467.tif 000008
【図７】
2006251467.tif 000009
【図８】
2006251467.tif 000010
【図９】
2006251467.tif 000011
【図１０】
2006251467.tif 000012
【図１１】
2006251467.tif 000013
【図１２】
2006251467.tif 000014